(57)【要約】【課題】製造コストを低減することができる照明用バスバを提供する。【解決手段】並列配置され電子部品に接続される接続部５，５がそれぞれ設けられた一対のバスバ７，７を備えた照明用バスバ１において、接続部５が、電子部品に接続される接触部９と、この接触部９に対向配置された対向部１１とを有し、対向部１１が、接触部９と対向する一側面に形成され電子部品を接触部９と狭持する支持部１３と、他側面に形成されスイッチ部の接点に接続される接点部１９とを有した。【選択図】図２１
2014175236.tif 000002
【特許請求の範囲】
【請求項１】
並列配置され電子部品に接続される接続部がそれぞれ設けられた一対のバスバを備えた照明用バスバであって、
前記接続部は、前記電子部品に接続される接触部と、この接触部に対向配置された対向部とを有し、
前記対向部は、前記接触部と対向する一側面に形成され前記電子部品を前記接触部と狭持する支持部と、他側面に形成されスイッチ部の接点に接続される接点部とを有することを特徴とする照明用バスバ。
【請求項２】
請求項１記載の照明用バスバであって、
前記対向部は、平面板状に形成されていることを特徴とする照明用バスバ。
【請求項３】
請求項２記載の照明用バスバであって、
前記一対のバスバの対向部間は、前記一対のバスバの接触部間より近接して配置されていることを特徴とする照明用バスバ。
【発明の詳細な説明】
【技術分野】
【０００１】
本発明は、照明装置に適用される照明用バスバに関する。
【背景技術】
【０００２】
従来、照明用バスバとしては、並列配置され電子部品としての半導体発光素子に接続される接続部としての第１圧接部がそれぞれ設けられた一対のバスバとしての端子を備えたものが知られている（例えば、特許文献１参照）。
【０００３】
この照明用バスバでは、第１圧接部が半導体発光素子に接続される接触部と、この接触部に対向配置された対向部としての側壁とを有している。この接触部と側壁との間に半導体発光素子を挿入することにより、半導体発光素子が接触部と側壁によって狭持され、半導体発光素子が接触部に電気的に接続される。
【先行技術文献】
【特許文献】
【０００４】
【特許文献１】特開２０１２−１１３８３３号公報
【発明の概要】
【発明が解決しようとする課題】
【０００５】
ところで、上記特許文献１のような照明用バスバは、照明装置におけるＬＥＤユニットのような電子部品が配置された部分に適用される電子部品接続用のものであり、照明装置におけるスイッチユニットのようなスイッチ部が配置された部分には、スイッチ接続用の異なる照明用バスバが適用されていた。
【０００６】
このため、照明用バスバは、電子部品接続用とスイッチ接続用との２種類をそれぞれ別々に製造する必要があり、製造コストが増加していた。
【０００７】
そこで、この発明は、製造コストを低減することができる照明用バスバの提供を目的としている。
【課題を解決するための手段】
【０００８】
請求項１記載の発明は、並列配置され電子部品に接続される接続部がそれぞれ設けられた一対のバスバを備えた照明用バスバであって、前記接続部は、前記電子部品に接続される接触部と、この接触部に対向配置された対向部とを有し、前記対向部は、前記接触部と対向する一側面に形成され前記電子部品を前記接触部と狭持する支持部と、他側面に形成されスイッチ部の接点に接続される接点部とを有することを特徴とする。
【０００９】
この照明用バスバでは、対向部が接触部と対向する一側面に形成され電子部品を接触部と狭持する支持部と、他側面に形成されスイッチ部の接点に接続される接点部とを有するので、一対のバスバを電子部品接続用とスイッチ接続用とに共用化することができる。
【００１０】
従って、このような照明用バスバでは、電子部品接続用とスイッチ接続用との２種類のバスバをそれぞれ別々に製造する必要がなく、製造コストを低減することができる。
【００１１】
請求項２記載の発明は、請求項１記載の照明用バスバであって、前記対向部は、平面板状に形成されていることを特徴とする。
【００１２】
この照明用バスバでは、対向部が平面板状に形成されているので、対向部の加工を簡易化することができ、さらに製造コストを低減することができる。
【００１３】
請求項３記載の発明は、請求項２記載の照明用バスバであって、前記一対のバスバの対向部間は、前記一対のバスバの接触部間より近接して配置されていることを特徴とする。
【００１４】
この照明用バスバでは、一対のバスバの対向部間が一対のバスバの接触部間より近接して配置されているので、電子部品接続用に用いられる場合、電子部品を支持する支持部の支持面が増加され、電子部品を安定して保持することができる。一方、照明用バスバがスイッチ接続用に用いられる場合には、接点部が近接して配置されるので、スイッチ部の接点を小型化することができる。
【発明の効果】
【００１５】
本発明によれば、製造コストを低減することができる照明用バスバを提供することができるという効果を奏する。
【図面の簡単な説明】
【００１６】
【図１】本発明の実施の形態に係る照明用バスバが適用されるＬＥＤユニットの斜視図である。
【図２】本発明の実施の形態に係る照明用バスバが適用されるＬＥＤユニットの分解斜視図である。
【図３】本発明の実施の形態に係る照明用バスバが適用されるＬＥＤユニットのハウジングに照明用バスバを組付けるときの斜視図である。
【図４】本発明の実施の形態に係る照明用バスバが適用されるＬＥＤユニットの照明用バスバの切断部を切断するときの上面図である。
【図５】本発明の実施の形態に係る照明用バスバが適用されるＬＥＤユニットのハウジングにツェナーダイオードを組付けるときの斜視図である。
【図６】本発明の実施の形態に係る照明用バスバが適用されるＬＥＤユニットのハウジングにＬＥＤ素子を組付けるときの斜視図である。
【図７】本発明の実施の形態に係る照明用バスバが適用されるＬＥＤユニットのハウジングに抵抗を組付けるときの斜視図である。
【図８】本発明の実施の形態に係る照明用バスバが適用されるＬＥＤユニットのカバーにレンズを組付けるときの斜視図である。
【図９】本発明の実施の形態に係る照明用バスバが適用されるＬＥＤユニットのハウジングとカバーとを組付けるときの斜視図である。
【図１０】本発明の実施の形態に係る照明用バスバが適用されるＬＥＤユニットの電線ホルダに電線を組付けるときの斜視図である。
【図１１】本発明の実施の形態に係る照明用バスバが適用されるＬＥＤユニットのカバーと電線ホルダとを組付けるときの斜視図である。
【図１２】本発明の実施の形態に係る照明用バスバが適用されるＬＥＤユニットの組付が完了したときの斜視図である。
【図１３】本発明の実施の形態に係る照明用バスバが適用されるスイッチユニットの斜視図である。
【図１４】本発明の実施の形態に係る照明用バスバが適用されるスイッチユニットのハウジングに照明用バスバを組付けるときの斜視図である。
【図１５】本発明の実施の形態に係る照明用バスバが適用されるスイッチユニットのハウジングに照明用バスバが組付けられたときの上面図である。
【図１６】本発明の実施の形態に係る照明用バスバが適用されるスイッチユニットのカバーにスイッチ部を組付けるときの斜視図である。
【図１７】本発明の実施の形態に係る照明用バスバが適用されるスイッチユニットのカバーとハウジングとを組付けるときの斜視図である。
【図１８】本発明の実施の形態に係る照明用バスバが適用されるスイッチユニットの電線ホルダに電線を組付けるときの斜視図である。
【図１９】本発明の実施の形態に係る照明用バスバが適用されるスイッチユニットのカバーと電線ホルダとを組付けるときの斜視図である。
【図２０】本発明の実施の形態に係る照明用バスバが適用されるスイッチユニットの組付が完了したときの斜視図である。
【図２１】本発明の実施の形態に係る照明用バスバの斜視図である。
【図２２】本発明の実施の形態に係る照明用バスバが適用されるＬＥＤユニットのハウジングにＬＥＤ素子を組付けるときの斜視図である。
【図２３】（ａ）は本発明の実施の形態に係る照明用バスバがＬＥＤユニットのハウジングに組付けられたときの上面図である。（ｂ）は図２３（ａ）のＸ−Ｘ断面図である。
【図２４】本発明の実施の形態に係る照明用バスバが適用されるスイッチユニットのハウジングの斜視図である。
【図２５】（ａ）は本発明の実施の形態に係る照明用バスバがスイッチユニットのハウジングに組付けられたときの上面図である。（ｂ）は図２５（ａ）のＹ−Ｙ断面図である。
【発明を実施するための形態】
【００１７】
図１〜図２５を用いて本発明の実施の形態に係る照明用バスバについて説明する。
【００１８】
本実施の形態に係る照明用バスバ１は、並列配置され電子部品としてのＬＥＤ素子３に接続される接続部５，５がそれぞれ設けられた一対のバスバ７，７を備えている。
【００１９】
また、接続部５は、ＬＥＤ素子３に接続される接触部９と、この接触部９に対向配置された対向部１１とを有している。
【００２０】
そして、対向部１１は、接触部９と対向する一側面に形成されＬＥＤ素子３を接触部９と狭持する支持部１３と、他側面に形成されスイッチ部１５の接点１７に接続される接点部１９とを有する。
【００２１】
また、対向部１１は、平面板状に形成されている。
【００２２】
さらに、一対のバスバ７，７の対向部１１，１１間は、一対のバスバ７，７の接触部９，９間より近接して配置されている。
【００２３】
まず、図１〜図１２，図２１〜図２３を用いて本実施の形態に係る照明用バスバ１が適用される照明装置の電子部品が配置される部分に用いられるＬＥＤユニット２１について説明する。
【００２４】
図１〜図１２，図２１〜図２３に示すように、ＬＥＤユニット２１は、照明用バスバ１と、ＬＥＤ素子３と、ハウジング２３と、カバー２５と、電線ホルダ２７などを備えている。
【００２５】
照明用バスバ１は、銅合金などからなる導電性の薄板材を打ち抜き加工と折り曲げ加工を施すことによって成形され、左右対称に成形された状態で並列に配置される。この照明用バスバ１は、並列に配置された状態で、ハウジング２３に収容された後、切断部２９，２９を切断することによって一対のバスバ７，７に分離される。なお、照明用バスバ１は、予め切断部２９，２９を切断し、一対のバスバ７，７に分離した状態で、ハウジング２３に収容されてもよい。
【００２６】
一対のバスバ７，７には、それぞれ二股状に形成され電線ホルダ２７に保持された電線３１を圧接し電気的に接続される圧接刃３３と、電子部品としての光源となるＬＥＤ素子３が電気的に接続される撓み可能な弾性接触片からなる接触部９とこの接触部９に対向配置された対向部１１とからなる接続部５とが設けられている。
【００２７】
なお、一対のバスバ７，７には、ＬＥＤ素子３が接続される接続部５の他に、それぞれ電子部品としてのＬＥＤ素子３を保護するツェナーダイオード３５が電気的に接続される撓み可能な弾性接触片３７を有する接続部と、電子部品としての複数（ここでは２つ）の抵抗３９が電気的に接続される撓み可能な弾性接触片４１を有する接続部とが設けられている。
【００２８】
このような一対のバスバ７，７は、並列に配置された状態で、ハウジング２３に収容され、それぞれの接続部５，５にＬＥＤ素子３が組付けられる。
【００２９】
ＬＥＤ素子３は、照明用バスバ１の接触部９が配置される側の面に接点部が設けられ、照明用バスバ１の接触部９と対向部１１との間に挿入されることにより、接触部９と対向部１１とで狭持されるように保持され、照明用バスバ１の接続部５に電気的に接続される。
【００３０】
なお、ツェナーダイオード３５と抵抗３９にも、それぞれ照明用バスバ１の弾性接触片３７，４１が配置される側の面に接点部が設けられ、照明用バスバ１に組付けられた状態で、照明用バスバ１の弾性接触片３７，４１に電気的に接続される。
【００３１】
このようなＬＥＤ素子３とツェナーダイオード３５と抵抗３９とは、照明用バスバ１がハウジング２３に収容された状態で、ハウジング２３の外部から照明用バスバ１にそれぞれ組付けられる。
【００３２】
ハウジング２３は、合成樹脂材料からなり、筐体状に形成され、内部に照明用バスバ１が収容される収容部が設けられている。このハウジング２３は、上下方向の一側面に設けられた照明用バスバ１を収容するバスバ開口４３と、上下方向の他側面の照明用バスバ１の弾性接触片４１に対応する位置に設けられた抵抗開口４５，４５と、前後方向の一側面の照明用バスバ１の弾性接触片３７に対応する位置に設けられたツェナー開口４７と、前後方向の一側面の照明用バスバ１の接続部５に対応する位置に設けられたＬＥＤ開口４９とを備えている。
【００３３】
このようなハウジング２３には、バスバ開口４３から照明用バスバ１が収容された後、ツェナー開口４７、ＬＥＤ開口４９、抵抗開口４５，４５からそれぞれツェナーダイオード３５、ＬＥＤ素子３、抵抗３９，３９が挿入され、一対のバスバ７，７に組付けられる。なお、一対のバスバ７，７の圧接刃３３，３３は、ハウジング２３のバスバ開口４３から外部に露出され、ハウジング２３の前後方向の他側面に配置される。この照明用バスバ１に各電子部品が組付けられたハウジング２３は、カバー２５に収容される。
【００３４】
カバー２５は、合成樹脂材料からなり、筐体状に形成され、上下方向の一側面に向けて他側面の開口５１から導光性の合成樹脂材料からなるレンズ５４が組付けられる。このカバー２５の前後方向の一側面には、開口が設けられ、ハウジング２３が収容されてロック部５３で係止された後、電線ホルダ２７が開口を閉塞するようにカバー２５に収容される。
【００３５】
電線ホルダ２７は、合成樹脂材料からなり、筐体状に形成され、外周面にコ字状の保持溝５５が複数（ここでは２つ）設けられている。この保持溝５５には、導体が絶縁被覆によって被覆された電線３１がそれぞれコ字状に配置され、電線３１の両端側が保持溝５５から引き出されるように配置される。なお、電線３１の両端には、例えば、端子が接続され、コネクタなどを介して電源や機器などに電気的に接続される。
【００３６】
この電線ホルダ２７の保持溝５５の底部側には、照明用バスバ１に設けられた圧接刃３３が挿入される挿入溝５７がそれぞれ設けられている。この挿入溝５７は、電線ホルダ２７をカバー２５に嵌合させることによって圧接刃３３が挿入され、この挿入溝５７に挿入される圧接刃３３によって電線３１の絶縁被覆が剥がされ、圧接刃３３と電線３１の導体とが接触して電線３１と照明用バスバ１とが電気的に接続される。
【００３７】
このような電線ホルダ２７は、カバー２５にハウジング２３が収容された後、カバー２５の開口を閉塞するように嵌合され、ロック部５９で係止されて電線ホルダ２７の抜け止めと、ハウジング２３の抜け止めがなされる。
【００３８】
このとき、電線ホルダ２７に保持された電線３１，３１は、カバー２５の開口側に配置された一対のバスバ７，７の圧接刃３３，３３に圧接され、両端側がカバー２５の開口から外部に引き出された状態となる。
【００３９】
このように構成されたＬＥＤユニット２１の組付方法は、まず、ハウジング２３のバスバ開口４３から照明用バスバ１をハウジング２３に収容させる。次に、ハウジング２３に収容された照明用バスバ１の切断部２９，２９を切断し、一対のバスバ７，７に分離させる。
【００４０】
次に、ハウジング２３のツェナー開口４７からツェナーダイオード３５を挿入し、照明用バスバ１の弾性接触片３７にツェナーダイオード３５を接続させる。次に、ハウジング２３のＬＥＤ開口４９からＬＥＤ素子３を挿入し、照明用バスバ１の接続部５にＬＥＤ素子３を接続させる。次に、ハウジング２３の抵抗開口４５，４５から抵抗３９，３９を挿入し、照明用バスバ１の弾性接触片４１に抵抗３９，３９を接続させる。
【００４１】
次に、カバー２５の上下方向の一側面に設けられた開口５１からレンズ５４を挿入し、カバー２５にレンズ５４を組付ける。次に、カバー２５の開口からハウジング２３を挿入し、ロック部５３を係止させ、カバー２５にハウジング２３を収容する。次に、電線ホルダ２７の保持溝５５，５５に電線３１，３１を保持させる。
【００４２】
そして、カバー２５の開口に電線ホルダ２７を挿入し、ロック部５９を係止させ、カバー２５に電線ホルダ２７を組付ける。このとき、電線３１，３１を一対のバスバ７，７の圧接刃３３，３３に圧接させ、ＬＥＤユニット２１の組付を完了する。
【００４３】
次に、図１３〜図２１，図２４，図２５を用いて本実施の形態に係る照明用バスバ１が適用される照明装置のスイッチが配置される部分に用いられるスイッチユニット６１について説明する。なお、ＬＥＤユニット２１と同一の構成には、同一の記号を記して構成及び機能説明はＬＥＤユニット２１を参照するものとし省略する。
【００４４】
図１３〜図２１，図２４，図２５に示すように、スイッチユニット６１は、照明用バスバ１と、スイッチ部１５と、ハウジング６３と、カバー６５と、電線ホルダ２７などを備えている。
【００４５】
スイッチ部１５は、ラバーコンタクト６７と、接点１７とを備えている。ラバーコンタクト６７は、ゴム材などの弾性材料からなり、ハウジング６３上に配置される環状の配置部６９と、この配置部６９と連続する一部材で形成され上下方向に断続操作される操作部７１とを備えている。
【００４６】
接点１７は、導電ゴム、金メッキなどの導電性材料からなり、ラバーコンタクト６７の操作部７１の背面側に一体に設けられている。この接点１７は、ラバーコンタクト６７がハウジング６３上に配置された状態で、照明用バスバ１の一対のバスバ７，７の対向部１１，１１を跨ぐようにして対向配置される。
【００４７】
このスイッチ部１５は、ラバーコンタクト６７の配置部６９がハウジング６３上に配置された状態で、ラバーコンタクト６７の操作部７１が押圧操作されることにより、接点１７が一対のバスバ７，７の対向部１１，１１に接触され、一対のバスバ７，７を接点１７を介して電気的に接続させる。
【００４８】
ハウジング６３は、合成樹脂材料からなり、筐体状に形成され、内部に照明用バスバ１が収容される収容部が設けられている。なお、収容部は、隔壁７３によって一対のバスバ７，７をそれぞれ収容するように隔離されている。また、ハウジング６３には、上下方向の一側面に照明用バスバ１を収容するバスバ開口７５が設けられている。
【００４９】
このハウジング６３は、バスバ開口７５から照明用バスバ１の一対のバスバ７，７がそれぞれ収容された後、カバー６５に収容される。なお、一対のバスバ７，７の圧接刃３３，３３は、ハウジング６３のバスバ開口７５から外部に露出され、ハウジング６３の前後方向の一側面に配置される。
【００５０】
カバー６５は、合成樹脂材料からなり、筐体状に形成され、上下方向の一側面に向けて他側面の開口７７からスイッチ部１５が組付けられる。このカバー６５の前後方向の一側面には、開口が設けられ、ハウジング６３が収容されてロック部７９で係止された後、電線ホルダ２７が開口を閉塞するようにカバー６５に収容される。
【００５１】
このカバー６５に電線ホルダ２７を組付けることにより、電線ホルダ２７に保持された電線３１，３１がカバー６５の開口側に配置された一対のバスバ７，７の圧接刃３３，３３に圧接され、一対のバスバ７，７と電線３１，３１とが電気的に接続される。
【００５２】
このように構成されたスイッチユニット６１の組付方法は、まず、ハウジング６３のバスバ開口７５から照明用バスバ１の一対のバスバ７，７をそれぞれハウジング６３に収容させる。
【００５３】
次に、カバー６５の上下方向の一側面に設けられた開口７７からスイッチ部１５を挿入し、カバー６５にスイッチ部１５を組付ける。次に、カバー６５の開口からハウジング６３を挿入し、ロック部７９を係止させ、カバー６５にハウジング６３を収容する。次に、電線ホルダ２７の保持溝５５，５５に電線３１，３１を保持させる。
【００５４】
そして、カバー６５の開口に電線ホルダ２７を挿入し、ロック部５９を係止させ、カバー６５に電線ホルダ２７を組付ける。このとき、電線３１，３１を一対のバスバ７，７の圧接刃３３，３３に圧接させ、スイッチユニット６１の組付を完了する。
【００５５】
このように構成されたＬＥＤユニット２１やスイッチユニット６１に適用される照明用バスバ１は、ＬＥＤユニット２１に適用される場合には電子部品接続用として機能させ、スイッチユニット６１に適用される場合にはスイッチ接続用として機能させる必要がある。そこで、照明用バスバ１における一対のバスバ７，７の対向部１１，１１は、ＬＥＤユニット２１とスイッチユニット６１に対して共用化されている。
【００５６】
図２１〜図２５に示すように、対向部１１は、それぞれ平面板状に形成され、両側面に支持部１３と、接点部１９とが形成されている。支持部１３は、接触部９と対向する対向部１１の一側面に形成されている。この支持部１３は、接触部９と共にＬＥＤ素子３を狭持し、ＬＥＤ素子３の背面を支持する。このように支持部１３がＬＥＤ素子３の背面を支持することにより、接触部９によるＬＥＤ素子３への接触圧力を確保することができ、接触部９とＬＥＤ素子３との接続信頼性を向上することができる。
【００５７】
接点部１９は、支持部１３と反対側の対向部１１の他側面に形成されている。この接点部１９は、スイッチ部１５の接点１７と対向配置され、ラバーコンタクト６７の操作部７１が押圧操作されることにより、接点１７が接触され、隣り合う接点部１９，１９が接点１７を介して電気的に接続される。このように接点部１９をスイッチ部１５の接点１７と対向配置させることにより、接点１７を介して一対のバスバ７，７を電気的に接続させるスイッチ機能をもたせることができる。
【００５８】
このように対向部１１に支持部１３と接点部１９とを設けることにより、対向部１１をＬＥＤユニット２１とスイッチユニット６１に対して共用化させることができ、照明用バスバ１に電子部品接続用とスイッチ接続用としての機能をもたせることができる。
【００５９】
ここで、一対のバスバ７，７の対向部１１，１１間は、一対のバスバ７，７の接触部９，９間より近接して配置されている。このため、照明用バスバ１が電子部品接続用としてＬＥＤユニット２１に用いられる場合には、支持部１３，１３が接触部９，９より近接して配置されることになり、接触部９によるＬＥＤ素子３への接触圧力を受ける支持面が増加される。この支持部１３，１３の支持面の増加により、ＬＥＤ素子３を安定して支持することができる。
【００６０】
一方、照明用バスバ１がスイッチ接続用としてスイッチユニット６１に用いられる場合には、接点部１９，１９が近接して配置されることになる。このため、接点部１９，１９に接触されるスイッチ部１５の接点１７を小型化することができる。
【００６１】
このような照明用バスバ１では、対向部１１が接触部９と対向する一側面に形成されＬＥＤ素子３を接触部９と狭持する支持部１３と、他側面に形成されスイッチ部１５の接点１７に接続される接点部１９とを有するので、一対のバスバ７，７を電子部品接続用とスイッチ接続用とに共用化することができる。
【００６２】
従って、このような照明用バスバ１では、電子部品接続用とスイッチ接続用との２種類のバスバをそれぞれ別々に製造する必要がなく、製造コストを低減することができる。
【００６３】
また、対向部１１は、平面板状に形成されているので、対向部１１の加工を簡易化することができ、さらに製造コストを低減することができる。
【００６４】
さらに、一対のバスバ７，７の対向部１１，１１間は、一対のバスバ７，７の接触部９，９間より近接して配置されているので、電子部品接続用に用いられる場合、ＬＥＤ素子３を支持する支持部の支持面が増加され、ＬＥＤ素子３を安定して保持することができる。一方、照明用バスバ１がスイッチ接続用に用いられる場合には、接点部１９，１９が近接して配置されるので、スイッチ部１５の接点１７を小型化することができる。
【００６５】
なお、本発明の実施の形態に係る照明用バスバでは、接続部に接続される電子部品がＬＥＤ素子となっているが、これに限らず、ツェナーダイオードや抵抗であってもよく、照明用バスバに接続されるものであれば、どのような電子部品であってもよい。
【符号の説明】
【００６６】
１…照明用バスバ
３…ＬＥＤ素子（電子部品）
５…接続部
５…接続部
７…バスバ
９…接触部
１１…対向部
１３…支持部
１５…スイッチ部
１７…接点
１９…接点部
【図１】
2014175236.tif 000003
【図２】
2014175236.tif 000004
【図３】
2014175236.tif 000005
【図４】
2014175236.tif 000006
【図５】
2014175236.tif 000007
【図６】
2014175236.tif 000008
【図７】
2014175236.tif 000009
【図８】
2014175236.tif 000010
【図９】
2014175236.tif 000011
【図１０】
2014175236.tif 000012
【図１１】
2014175236.tif 000013
【図１２】
2014175236.tif 000014
【図１３】
2014175236.tif 000015
【図１４】
2014175236.tif 000016
【図１５】
2014175236.tif 000017
【図１６】
2014175236.tif 000018
【図１７】
2014175236.tif 000019
【図１８】
2014175236.tif 000020
【図１９】
2014175236.tif 000021
【図２０】
2014175236.tif 000022
【図２１】
2014175236.tif 000023
【図２２】
2014175236.tif 000024
【図２３】
2014175236.tif 000025
【図２４】
2014175236.tif 000026
【図２５】
2014175236.tif 000027